(57)【特許請求の範囲】
【請求項１】
箱状の保温材と、
前記保温材に収納され、冷媒で水を加熱する水冷媒熱交換器と、
を備え、
前記保温材の内底部は、凸部及び凹部を有する凹凸形状となっており、
前記凹部には、前記内底部を貫通する排水穴が形成され、
前記水冷媒熱交換器は、前記凸部の上に置かれており、
前記内底部は、複数の前記凸部を備え、
複数の前記凸部は、前記水冷媒熱交換器を平面視した際に該水冷媒熱交換器の長手方向となる方向に、間隔を空けて並べられているヒートポンプ給湯室外機。
【請求項２】
縦断面において、前記凸部の角部は、該凸部の外側に凸形状となる円弧形状となっている請求項１に記載のヒートポンプ給湯室外機。
【請求項３】
箱状の保温材と、
前記保温材に収納され、冷媒で水を加熱する水冷媒熱交換器と、
を備え、
前記保温材の内底部は、凸部及び凹部を有する凹凸形状となっており、
前記凹部には、前記内底部を貫通する排水穴が形成され、
前記水冷媒熱交換器は、前記凸部の上に置かれており、
縦断面において、前記凸部の角部は、該凸部の外側に凸形状となる円弧形状となっているヒートポンプ給湯室外機。
【請求項４】
前記内底部は、複数の前記凸部を備え、
複数の前記凸部は、前記水冷媒熱交換器を平面視した際に該水冷媒熱交換器の長手方向となる方向に、間隔を空けて並べられている請求項３に記載のヒートポンプ給湯室外機。
【請求項５】
前記凹部は、前記排水穴に向かって下降するように傾斜する傾斜面を備えている請求項１〜４のいずれか一項に記載のヒートポンプ給湯室外機。
【請求項６】
前記保温材を平面視した際、前記凸部の一部は、前記傾斜面の頂点に位置している請求項５に記載のヒートポンプ給湯室外機。
【請求項７】
前記排水穴は、前記傾斜面の下端部に形成されている請求項５又は請求項６に記載のヒートポンプ給湯室外機。
【請求項８】
前記凹部は、複数の前記傾斜面を備え、
複数の前記傾斜面のうちの少なくとも一部は、前後方向に傾斜しており、
複数の前記傾斜面のうちの少なくとも一部は、左右方向に傾斜している請求項５〜請求項７のいずれか一項に記載のヒートポンプ給湯室外機。
【発明の詳細な説明】
【技術分野】
【０００１】
本発明は、箱状の保温材に水冷媒熱交換器を収納し、水冷媒熱交換器から外部への放熱の低減を図ったヒートポンプ給湯室外機に関する。
【背景技術】
【０００２】
大気の熱を利用する、エネルギー効率に優れたヒートポンプ給湯システムが広く用いられている。ヒートポンプ給湯システムが備えるヒートポンプ給湯室外機には、大気の熱を冷媒に吸収させる蒸発器、蒸発器へ送風する送風機、冷媒を圧縮する圧縮機、圧縮された高温高圧の冷媒で水を加熱する水冷媒熱交換器等が搭載されている。また、ヒートポンプ給湯室外機の運転中に水冷媒熱交換器から外部へ放熱してしまうことを低減するため、水冷媒熱交換器は、箱状の保温材に収納されている。水冷媒熱交換器が箱状の保温材に収納されている場合、以下のように水冷媒熱交換器が腐食する可能性がある。詳しくは、水冷媒熱交換器の表面に結露が発生すると、水冷媒熱交換器の表面の水が流れ落ちて保温材の内底部に溜まる。水冷媒熱交換器が保温材の内底部に溜まった水に浸ると、水冷媒熱交換器が腐食する可能性がある。このため、水冷媒熱交換器が保温材の内底部に溜まった水に浸らないようにすることが望ましい。なお、保温材の内底部とは、保温材の内部側の底部である。【０００３】
そこで、従来のヒートポンプ給湯室外機には、水冷媒熱交換器が保温材の内底部に溜まった水に浸ることの抑制を図ったものが提案されている（特許文献１参照）。具体的には、特許文献１に記載のヒートポンプ給湯室外機においては、水冷媒熱交換器を収納する保温材は、下部保温材と上部保温材とで構成されている。下部保温材は、上部が開口し、左右方向に長い箱状の保温材である。上部保温材は、下部保温材の上部の開口を覆う保温材である。【０００４】
下部保温材の内底部は平坦部を有しており、水冷媒熱交換器は、該平坦部に置かれている。また、下部保温材の内底部には、該内底部へ水が溜まることを抑制するため、漏水排出部が設けられている。この漏水排出部は、下部保温材の内底部を貫通する貫通孔と、該貫通孔を封止する充填物とを備えている。特許文献１によると、このような構成により、下部保温材の内底部に流れ落ちた水は、充填物を浸透又は溶解しながら貫通孔を流れ、保温材の外部に排出されるとなっている。
【先行技術文献】
【特許文献】
【０００５】
【特許文献１】特開２０１５−４５４２５号公報
【発明の概要】
【発明が解決しようとする課題】
【０００６】
特許文献１に記載のヒートポンプ給湯室外機においては、水冷媒熱交換器が置かれている下部保温材の内底部の平坦部に、漏水排出部が設けられている。このため、水冷媒熱交換器の表面に結露が発生し、水冷媒熱交換器の表面の水が下部保温材の内底部の平坦部に流れ落ちると、該水が漏水排出部から排出されるまでの間、水冷媒熱交換器が該水に浸ることとなる。また、下部保温材の内底部において水冷媒熱交換器が置かれている箇所は上述のように平坦部であるため、平坦部に流れ落ちた水が該平坦部に留まりやすい。このため、該平坦部に一定量の水が溜まるまで、該平坦部に溜まった水が漏水排出部へ流れ込まない。したがって、特許文献１に記載のヒートポンプ給湯室外機は、水冷媒熱交換器が保温材の内底部に溜まった水に浸ることを未だ十分に抑制できず、水冷媒熱交換器の腐食を未だ十分に抑制できないという課題があった。【０００７】
本発明は、上述のような課題を解決するためになされたもので、箱状の保温材に収納された水冷媒熱交換器に結露が発生した場合でも、従来よりも水冷媒熱交換器が水に浸ることを抑制できるヒートポンプ給湯室外機を提供することを目的とする。
【課題を解決するための手段】
【０００８】
本発明に係るヒートポンプ給湯室外機は、箱状の保温材と、保温材に収納され、冷媒で水を加熱する水冷媒熱交換器と、を備え、保温材の内底部は、凸部及び凹部を有する凹凸形状となっており、凹部には、内底部を貫通する排水穴が形成され、水冷媒熱交換器は、凸部の上に置かれており、内底部は、複数の凸部を備え、複数の凸部は、水冷媒熱交換器を平面視した際に該水冷媒熱交換器の長手方向となる方向に、間隔を空けて並べられている。
【発明の効果】
【０００９】
本発明に係るヒートポンプ給湯室外機においては、水冷媒熱交換器の表面に結露が発生し、水冷媒熱交換器の表面の水が保温材の内底部に流れ落ちた際、該水は内底部の凹部に溜まる。そして、該凹部に溜まった水は、該凹部に形成された排水穴から保温材の外部へ排出される。このため、本発明に係るヒートポンプ給湯室外機は、箱状の保温材に収納された水冷媒熱交換器に結露が発生した場合でも、従来よりも水冷媒熱交換器が水に浸ることを抑制できる。
【図面の簡単な説明】
【００１０】
【図１】本発明の実施の形態に係るヒートポンプ給湯室外機を備えたヒートポンプ給湯システムを示す配管系統図である。
【図２】本発明の実施の形態に係るヒートポンプ給湯室外機を前方右側から観察した斜視図である。
【図３】本発明の実施の形態に係るヒートポンプ給湯室外機を前方右側から観察した分解斜視図である。
【図４】本発明の実施の形態に係るヒートポンプ給湯室外機が備える底板、上部保温材、下部保温材及び水冷媒熱交換器等を前方右側から観察した斜視図である。
【図５】本発明の実施の形態に係るヒートポンプ給湯室外機が備える底板、下部保温材及び水冷媒熱交換器等を前方右側から観察した斜視図である。
【図６】本発明の実施の形態に係るヒートポンプ給湯室外機が備える下部保温材を前方右側から観察した斜視図である。
【図７】本発明の実施の形態に係るヒートポンプ給湯室外機が備える下部保温材を、該下部保温材の短手方向に平行な垂直平面で切断した縦断面図である。
【図８】本発明の実施の形態に係るヒートポンプ給湯室外機が備える下部保温材を、該下部保温材の長手方向に平行な垂直平面で切断した縦断面図である。
【発明を実施するための形態】
【００１１】
以下の実施の形態において、図面を参照しながら本発明に係るヒートポンプ給湯室外機の一例について説明する。なお、各図において共通する要素には、同一の符号を付して、重複する説明を簡略化又は省略する。また、本発明に係るヒートポンプ給湯室外機は、以下で説明する構成のうち、組合せ可能な構成のあらゆる組合せを含み得る。
【００１２】
実施の形態．
図１は、本発明の実施の形態に係るヒートポンプ給湯室外機を備えたヒートポンプ給湯システムを示す配管系統図である。図１に示すように、ヒートポンプ給湯システム９０は、ヒートポンプ給湯室外機１と、タンクユニット９１とを備えている。ヒートポンプ給湯室外機１は、室外に設置される。タンクユニット９１は、室外に設置されてもよいし、室内に設置されてもよい。
【００１３】
ヒートポンプ給湯室外機１は、圧縮機２、水冷媒熱交換器３、第一膨張弁４ａ、第二膨張弁４ｂ、蒸発器５、内部熱交換器６、及び送風機７を備えている。ヒートポンプ給湯室外機１は、冷媒回路を備え、冷凍サイクルすなわちヒートポンプサイクルの運転を行う。圧縮機２は、低圧冷媒を圧縮する。冷媒は、例えば二酸化炭素でもよい。水冷媒熱交換器３は、圧縮機２から吐出された高温高圧の冷媒が流れる冷媒配管３ｂと、タンクユニット９１から供給された水が流れる水配管３ａとを備えている。そして、水冷媒熱交換器３では、冷媒配管３ｂを流れる高温高圧の冷媒と、水配管３ａを流れる水との間で、熱交換が行われる。すなわち、水配管３ａを流れる水は、冷媒配管３ｂを流れる高温高圧の冷媒によって加熱される。
【００１４】
第一膨張弁４ａ及び第二膨張弁４ｂは、高圧冷媒を減圧して低圧冷媒にする減圧装置の例である。減圧された低圧冷媒は、気液二相の状態になる。蒸発器５は、低圧冷媒と大気との間で熱を交換する熱交換器である。蒸発器５において、低圧冷媒は、大気の熱を吸収することで蒸発する。送風機７が蒸発器５へ送風することで、蒸発器５での熱交換を促進できる。内部熱交換器６は、高圧流路及び低圧流路を備える。内部熱交換器６は、高圧流路を流れる高圧冷媒と、低圧流路を流れる低圧冷媒との間で熱を交換する。蒸発器５で蒸発した低圧冷媒は、内部熱交換器６の低圧流路を経由して、圧縮機２に吸入される。
【００１５】
タンクユニット９１は、貯湯タンク９２、ポンプ９３、流路切替弁９４、及びバイパス配管９５を備えている。ヒートポンプ給湯室外機１とタンクユニット９１との間は、外部配管９６及び外部配管９７を介して接続されている。
【００１６】
貯湯タンク９２内には、加熱前の水及び加熱後の湯が貯留される。貯湯タンク９２内には、温度による水の比重の違いにより、上側が高温で下側が低温の温度成層が形成される。貯湯タンク９２の上部には、例えば給湯栓、シャワー、及び浴槽等の端末へ給湯するための図示せぬ給湯管が接続されている。貯湯タンク９２の下部には、水道等の水源からの水を供給する図示せぬ給水管が接続されている。貯湯タンク９２から給湯するときには、給水管から貯湯タンク９２内に作用する水圧により、貯湯タンク９２の上部の湯が給湯管へ送出される。給湯管へ流出した湯と同量の水が給水管から貯湯タンク９２内に流入することで、貯湯タンク９２内が満水状態に維持される。
【００１７】
貯湯タンク９２の下部は、導管を介してポンプ９３の入口につながっている。ポンプ９３の出口は、流路切替弁９４につながっている。流路切替弁９４は、外部配管９６を介して、ヒートポンプ給湯室外機１の水冷媒熱交換器３の水配管３ａにつながっている。
【００１８】
ヒートポンプ給湯システム９０は、ヒートポンプ給湯室外機１により加熱された湯を貯湯タンク９２内に蓄積する蓄熱運転を実施できる。蓄熱運転のときには、以下のようになる。圧縮機２、送風機７、及びポンプ９３が運転される。貯湯タンク９２の下部から流出した水が、ポンプ９３、流路切替弁９４、及び外部配管９６を通って、ヒートポンプ給湯室外機１の水冷媒熱交換器３に流入する。この水は、水冷媒熱交換器３にて冷媒により加熱されて湯になる。水冷媒熱交換器３で加熱された湯の温度は、例えば、６５℃〜９０℃程度である。水冷媒熱交換器３から流出した湯は、外部配管９７を通ってタンクユニット９１に戻り、タンク上部管９８を通って貯湯タンク９２の上部に流入する。
【００１９】
流路切替弁９４は、ポンプ９３から吐出された水が、ヒートポンプ給湯室外機１に代えてバイパス配管９５を通ってタンク上部管９８に流入する状態になるように流路を切り替え可能である。
【００２０】
図２は、本発明の実施の形態に係るヒートポンプ給湯室外機を前方右側から観察した斜視図である。図３は、本発明の実施の形態に係るヒートポンプ給湯室外機を前方右側から観察した分解斜視図である。図２に示すように、ヒートポンプ給湯室外機１は、複数の脚部２５を備えている。脚部２５は、地面又は床面に固定される。
【００２１】
図３に示すように、ヒートポンプ給湯室外機１は、底板１８、フロントパネル１９、サイドパネル２０、及びトップパネル２１を備えている。底板１８、フロントパネル１９、サイドパネル２０、及びトップパネル２１は、ヒートポンプ給湯室外機１の外郭すなわち筐体を構成する。底板１８、フロントパネル１９、サイドパネル２０、及びトップパネル２１は、金属製が好ましい。底板１８は、ヒートポンプ給湯室外機１のベース又はフレームに相当する。圧縮機２等の構成機器は、底板１８の上に搭載される。底板１８の下面に脚部２５が固定されている。
【００２２】
フロントパネル１９は、ヒートポンプ給湯室外機１の前面及び左側面を覆う。サイドパネル２０は、ヒートポンプ給湯室外機１の後面の一部及び右側面を覆う。トップパネル２１は、ヒートポンプ給湯室外機１の上面を覆う。蒸発器５は、ヒートポンプ給湯室外機１の後面及び左側面を覆うように配置される。
【００２３】
ヒートポンプ給湯室外機１の外郭の内部は、送風機７がある送風機室１５と、機械室１４とに区画されている。仕切板１６が送風機室１５と機械室１４とを隔てる。機械室１４には、圧縮機２及び冷媒配管等が配置されている。圧縮機２は図示せぬ防音材に覆われている。送風機室１５には、蒸発器５とフロントパネル１９との間に、送風機７が配置されている。本実施の形態における送風機７は、プロペラファンを備えている。また、送風機室１５には、送風機７の下にケース８が配置されている。水冷媒熱交換器３は、後述する上部保温材９及び下部保温材１０に覆われた状態で、ケース８内に収納されている。
【００２４】
フロントパネル１９は、送風機７と対向する位置に開口部が形成されている。この開口部を覆うグリル２４がフロントパネル１９に取り付けられている。送風機７が運転されると、外気すなわち大気が、蒸発器５を通過して送風機室１５に流入し、グリル２４からヒートポンプ給湯室外機１の外へ排出される。
【００２５】
ヒートポンプ給湯室外機１は、電気部品収納箱１７を備えている。電気部品収納箱１７は、送風機室１５の上部の一部及び機械室１４の上部を占める空間に配置されている。電気部品収納箱１７内には、例えば、圧縮機２のモーター及び送風機７のモーターを駆動制御するインバータ電源等の電気部品が収納されている。電気部品収納箱１７の近くには端子台がある。外部の電気配線を電気部品収納箱１７内の電気部品と接続する際、該端子台が用いられる。サービスパネル２２がサイドパネル２０に対して着脱可能に取り付けられている。サービスパネル２２は、端子台を保護している。サービスパネル２２の下には、接続部カバー２３がサイドパネル２０に対して着脱可能に取り付けられている。接続部カバー２３は、外部配管９６及び外部配管９７が接続される図示せぬ接続部を保護している。
【００２６】
図４は、本発明の実施の形態に係るヒートポンプ給湯室外機が備える底板、上部保温材、下部保温材及び水冷媒熱交換器等を前方右側から観察した斜視図である。図４に示すように、底板１８は、例えば１ｃｍ程度の高低差を有する凹凸、段差、斜面等が複数形成された形状を有する。底板１８は、例えば絞り加工等のプレス加工により形成されたものでもよい。底板１８は、遮水性を有する。
【００２７】
底板１８には、図示せぬ排水口が形成されている。この排水口は、底板１８のうちで最も低い位置にあることが望ましい。ヒートポンプ給湯室外機１の運転時、蒸発器５は低温になるため、蒸発器５を通過する空気に含まれる水分が蒸発器５の表面で凝縮することがある。その凝縮水は、重力により流下する。底板１８は、その水を受ける。その水は、底板１８に形成された高低差によって排水口の位置へ向かって流れ、排水口から底板１８の下へ排出される。
【００２８】
ヒートポンプ給湯室外機１が設置される場所には、排水口から排出される水を受けるホッパー等が備えられてもよい。底板１８に排水口を形成することにより、以下の効果が得られる。蒸発器５の表面で生じた凝縮水等を底板１８が集めて排水口からヒートポンプ給湯室外機１の外へ排水するので、排水口以外の箇所から水が出ることを防止できる。ヒートポンプ給湯室外機１の水漏れではないかとユーザが誤解することを確実に防止できる。
【００２９】
水冷媒熱交換器３は、箱状の保温材に収納されることにより、ヒートポンプ給湯室外機１の運転時に外部への放熱を低減することができる。本実施の形態における箱状の保温材は、上下に２分割された構成であり、内側に水冷媒熱交換器３を収納する箱状の下部保温材１０と、その上面側を覆う蓋状の上部保温材９で構成されている。
【００３０】
図５は、本発明の実施の形態に係るヒートポンプ給湯室外機が備える底板、下部保温材及び水冷媒熱交換器等を前方右側から観察した斜視図である。なお、図５に矢印で示すＤ１方向は、ヒートポンプ給湯室外機１の左右方向を表している。すなわち、Ｄ１方向は、下部保温材１０及び水冷媒熱交換器３の左右方向を表している。また、図５に矢印で示すＤ２方向は、ヒートポンプ給湯室外機１の前後方向を表している。すなわち、Ｄ２方向は、下部保温材１０及び水冷媒熱交換器３の前後方向を表している。
【００３１】
下部保温材１０の内部空間は、左右方向に長い略直方体形状となっている。水冷媒熱交換器３は、下部保温材１０の内底部１０ａに置かれている。なお、下部保温材１０の内底部１０ａとは、下部保温材１０の内部側の底部である。水冷媒熱交換器３は、二重管式等の管状熱交換器である。水冷媒熱交換器３は、下部保温材１０の内部空間の形状に対応した長方形状に折り曲げられながら、上下方向に積層された構造となっている。すなわち、水冷媒熱交換器３は、平面視した際、左右方向が長手方向となっており、前後方向が短手方向となっている。
【００３２】
図６は、本発明の実施の形態に係るヒートポンプ給湯室外機が備える下部保温材を前方右側から観察した斜視図である。図７は、本発明の実施の形態に係るヒートポンプ給湯室外機が備える下部保温材を、該下部保温材の短手方向に平行な垂直平面で切断した縦断面図である。また、図８は、本発明の実施の形態に係るヒートポンプ給湯室外機が備える下部保温材を、該下部保温材の長手方向に平行な垂直平面で切断した縦断面図である。
【００３３】
下部保温材１０の内底部１０ａは、凸部１２及び凹部１３を有する凹凸形状となっている。詳しくは、下部保温材１０の内底部１０ａは、該下部保温材１０を平面視した際に短手方向となる方向に延びる複数の凸部１２を備えている。これら複数の凸部１２は、所定の間隔を空けて配置されている。これら複数の凸部１２の間にはこれら複数の凸部１２よりも低い箇所が形成され、該箇所が凹部１３となっている。凹部１３には、内底部１０ａを貫通する少なくとも１つの排水穴１１が形成されている。なお、本実施の形態１では、複数の排水穴１１が形成されている。そして、水冷媒熱交換器３は、複数の凸部１２の上に置かれる。
【００３４】
このため、本実施の形態に係るヒートポンプ給湯室外機１においては、水冷媒熱交換器３の表面に結露が発生し、水冷媒熱交換器３の表面の水が下部保温材１０の内底部１０ａに流れ落ちた際、該水は内底部１０ａの凹部１３に溜まる。そして、該凹部１３に溜まった水は、該凹部１３に形成された排水穴１１から下部保温材１０の外部へ排出される。水冷媒熱交換器３は、凸部１２によって、凹部１３に対して嵩上げされている。このため、本実施の形態に係るヒートポンプ給湯室外機１は、箱状の保温材に収納された水冷媒熱交換器３に結露が発生した場合でも、従来よりも水冷媒熱交換器３が水に浸ることを抑制できる。すなわち、本実施の形態に係るヒートポンプ給湯室外機１は、水冷媒熱交換器３の腐食を従来よりも抑制することができる。
【００３５】
なお、排水穴１１から下部保温材１０の外部へ排出された水は、底板１８に流れ落ちる。底板１８に流れ落ちた水は、上述のように、底板１８に形成された高低差によって排水口の位置へ向かって流れ、排水口から底板１８の下へ排出される。
【００３６】
また、本実施の形態においては、凹部１３は、排水穴１１に向かって下降するように傾斜する傾斜面１３ａを備えている。傾斜面１３ａを備えることにより、傾斜面１３ａを備えない場合と比べ、凹部１３に溜まった水を排水穴１１から下部保温材１０の外部へ速やかに排出することができる。このため、凹部１３が傾斜面１３ａを備えることにより、水冷媒熱交換器３が水に浸ることをより抑制できる。すなわち、凹部１３が傾斜面１３ａを備えることにより、水冷媒熱交換器３の腐食をより抑制することができる。なお、本実施の形態に係る凹部１３は複数の傾斜面１３ａを有しているが、少なくとも１つの傾斜面１３ａを有していれば、上述の効果を得ることができる。
【００３７】
また、本実施の形態においては、各排水穴１１は、傾斜面１３ａの下端部１３ｃに形成されている。換言すると、複数の傾斜面１３ａを有する本実施の形態に係る凹部１３においては、複数の傾斜面１３ａによって形成される谷部に、各排水穴１１が形成されている。傾斜面１３ａの下端部１３ｃに排水穴１１を形成することにより、凹部１３に溜まった水を排水穴１１から下部保温材１０の外部へさらに速やかに排出することができ、水冷媒熱交換器３の腐食をさらに抑制することができる。すなわち、傾斜面１３ａの下端部１３ｃに排水穴１１を形成することにより、水冷媒熱交換器３の腐食をさらに抑制することができる。なお、排水穴１１のうちの少なくとも１つが傾斜面１３ａの下端部１３ｃに形成されていれば、当該効果を得ることができる。
【００３８】
また、本実施の形態においては、下部保温材１０を平面視した際、凸部１２の一部は、傾斜面１３ａの頂点１３ｂに位置している。すなわち、凸部１２の一部は、凹部１３において最も高くなっている箇所に配置されている。このように凸部１２を配置することにより、凹部１３からの凸部１２の突出高さを低く抑えることができるため、下部保温材１０の材料コストを抑制することができる。
【００３９】
また、複数の傾斜面１３ａを有する本実施の形態に係る凹部１３においては、複数の傾斜面１３ａのうちの少なくとも一部は前後方向に傾斜しており、複数の傾斜面１３ａのうちの少なくとも一部は左右方向に傾斜している。なお、本実施の形態では、全ての傾斜面１３ａが、前後方向に傾斜し、且つ左右方向にも傾斜している。ヒートポンプ給湯室外機１は、左右方向に傾いて据え付けられる場合がある。ヒートポンプ給湯室外機１は、前後方向に傾いて据え付けられる場合もある。また、ヒートポンプ給湯室外機１は、左右方向及び前後方向の双方に傾いて据え付けられる場合もある。凹部１３が複数の傾斜面１３ａを備えている場合、傾斜面１３ａの傾き方向を上述のように規定することにより、ヒートポンプ給湯室外機１がいずれの方向に傾いて据え付けられたときでも、凹部１３に溜まった水を下部保温材１０の外部へさらに速やかに排出することができる。
【００４０】
なお、本実施の形態に係る下部保温材１０の内底部１０ａは複数の凸部１２を備えているが、凸部１２の数は任意である。例えば、凸部１２の形状を平面視略額縁状とすることにより、１つの凸部１２の上に水冷媒熱交換器３を置くことができる。ここで、内底部１０ａが複数の凸部１２を備えている場合、図６及び図８に示すように各凸部１２を配置することが好ましい。詳しくは、複数の凸部１２は、水冷媒熱交換器３を平面視した際に該水冷媒熱交換器３の長手方向となる方向に、間隔を空けて並べられているのが好ましい。複数の凸部１２をこのように配置することにより、水冷媒熱交換器３のたわみを抑制できる。すなわち、水冷媒熱交換器３がたわんで凹部１３に溜まった水に浸ることを抑制できる。
【００４１】
また、本実施の形態では、縦断面において、凸部１２の角部１２ａは、該凸部１２の外側に凸形状となる円弧形状となっている。凸部１２の角部１２ａをこのような形状とすることにより、水冷媒熱交換器３と凸部１２の上面との接触面積を小さくすることができる。また、凸部１２の角部１２ａをこのような形状とすることにより、水冷媒熱交換器３から凸部１２の上面に流れ落ちた水は、凸部１２の上面に留まり難くなる。このため、凸部１２の角部１２ａをこのような形状とすることにより、水冷媒熱交換器３が水と接触している時間を短縮でき、水冷媒熱交換器３の腐食をさらに抑制できる。
【００４２】
以上、本実施の形態に係るヒートポンプ給湯室外機１は、箱状の保温材と、前記保温材に収納され、冷媒で水を加熱する水冷媒熱交換器３と、を備えている。前記保温材の下部保温材１０の内底部１０ａは、凸部１２及び凹部１３を有する凹凸形状となっている。凹部１３には、内底部１０ａを貫通する排水穴１１が形成されている。そして、水冷媒熱交換器３は、内底部１０ａの凸部１２の上に置かれている。
【００４３】
本実施の形態に係るヒートポンプ給湯室外機１においては、水冷媒熱交換器３の表面に結露が発生し、水冷媒熱交換器３の表面の水が下部保温材１０の内底部１０ａに流れ落ちた際、該水は内底部１０ａの凹部１３に溜まる。そして、該凹部１３に溜まった水は、該凹部１３に形成された排水穴１１から下部保温材１０の外部へ排出される。水冷媒熱交換器３は、凸部１２によって、凹部１３に対して嵩上げされている。このため、本実施の形態に係るヒートポンプ給湯室外機１は、箱状の保温材に収納された水冷媒熱交換器３に結露が発生した場合でも、従来よりも水冷媒熱交換器３が水に浸ることを抑制できる。すなわち、本実施の形態に係るヒートポンプ給湯室外機１は、水冷媒熱交換器３の腐食を従来よりも抑制することができる。
【符号の説明】
【００４４】
１  ヒートポンプ給湯室外機、２  圧縮機、３  水冷媒熱交換器、３ａ  水配管、３ｂ  冷媒配管、４ａ  第一膨張弁、４ｂ  第二膨張弁、５  蒸発器、６  内部熱交換器、７  送風機、８  ケース、９  上部保温材、１０  下部保温材、１０ａ  内底部、１１  排水穴、１２  凸部、１２ａ  角部、１３  凹部、１３ａ  傾斜面、１３ｂ  頂点、１３ｃ  下端部、１４  機械室、１５  送風機室、１６  仕切板、１７  電気部品収納箱、１８  底板、１９  フロントパネル、２０  サイドパネル、２１  トップパネル、２２  サービスパネル、２３  接続部カバー、２４  グリル、２５  脚部、９０  ヒートポンプ給湯システム、９１  タンクユニット、９２  貯湯タンク、９３  ポンプ、９４  流路切替弁、９５  バイパス配管、９６  外部配管、９７  外部配管、９８  タンク上部管。
【図１】
0006921326.tif 000002
【図２】
0006921326.tif 000003
【図３】
0006921326.tif 000004
【図４】
0006921326.tif 000005
【図５】
0006921326.tif 000006
【図６】
0006921326.tif 000007
【図７】
0006921326.tif 000008
【図８】
0006921326.tif 000009